(57)【要約】      （修正有）【課題】簡単に水を切ることができるモップを提供する。【解決手段】本ハンドル１０を縮退させると、螺旋シャフトに沿って回転移動する案内部材の駆動歯と伝導部材の内部歯とが係合し、伝動部材、内管及び頭部２０が回転する。そして、ハンドルを伸長させると、伝動部材、内管及び頭部２０が逆回転せずに、案内部材の駆動歯と伝導部材の内部歯とが互いに離脱するので、頭部を持続的に回転させることにより、簡単に水を切ることができる。【選択図】図１
0003161722.tif 000002
【実用新案登録請求の範囲】
【請求項１】
伸縮可能な管であるハンドルと、頭部とを有し、
前記ハンドルは、
第１端と第２端とを有する外管と、
該外管の内部に設置され、該第１端と第２端との間に位置する第１端と第２端とを有する螺旋シャフトと、
回転可能かつ長手方向に沿って摺動可能に前記外管の内部に設けられると共に、前記螺旋シャフトが挿入され、内周面、第１端及び第２端を有する内管と、
前記内管の内周面における第１端と第２端との間に取り付けられると共に、前記螺旋シャフトが挿入され、外周面と、第１開口と、前記第１開口に向ける第１表面を有する内フランジと、該内フランジの第１表面に形成される複数の内部歯とを有する伝動部材と、
前記第１端と伝動部材の内フランジとの間に、回転可能かつ摺動可能に前記螺旋シャフトを挿嵌させる貫通孔と、前記内部歯と噛合する複数の駆動歯とを有する案内部材とを有し、
前記頭部が前記内管の第２端に取り付けられる清掃用のモップ。
【請求項２】
さらに前記外管の第１端にボディー主管が連結される請求項１に記載のモップ。
【請求項３】
前記主管は、第１端と、前記外管の第１端に連結される第２端とを有する管状部材である請求項２に記載のモップ。
【請求項４】
前記外管は、外管の第１端の近傍に形成される２つの内部位置決め孔を有し、
前記主管はそれぞれ、前記内部位置決め孔と対応するように、該主管の第２端の近傍に形成される２つの外部位置決め孔と、両側に夫々２つの突出部が設けられる、該主管を前記外管の第１端に取り付けるための弾性クリップとを有し、
前記弾性クリップの一方の突出部が前記一方の内部位置決め孔及び一方の外部位置決め孔と対応し、他方の突出部が他方の内部位置決め孔及び他方の外部位置決め孔と対応する請求項３に記載のモップ。
【請求項５】
前記主管が、その中の第１端に取り付けられるシールと、該シールに取り付けられ、吊るし穴を有する吊掛部材とを有する請求項３に記載のモップ。
【請求項６】
前記ハンドルが、前記螺旋シャフトの第１端と第２端との間に取り付けられる、前記螺旋シャフトを安定させるための錘を有する請求項１に記載のモップ。
【請求項７】
前記ハンドルが、前記螺旋シャフトにおける錘と螺旋シャフトの第２端との間に取り付けられる、該錘を固定するための固定キャップを有する請求項６に記載のモップ。
【請求項８】
前記ハンドルが、前記外管の内周面における外管の第１端と第２端との間に取り付けられる、前記螺旋シャフトを固定するための固定部材を有する請求項１に記載のモップ。
【請求項９】
前記外管は、該外管の第２端の近傍に形成される２つの貫通孔を有し、
前記ハンドルは、
前記貫通孔を被覆するように、前記外管に取り付けられ、それぞれ該貫通孔に挿入する２つの凸部を有する内スリーブと、
前記内スリーブを被包する外スリーブと、
前記伝動部材の外周面に取り付けられると共に、摺動可能に前記外管の第１端と凸部との間に位置する、該凸部を係止するためのカラーとを有する請求項１に記載のモップ。
【請求項１０】
前記伝動部材は、
該伝動部材の外周面に取り付けられ、第１面と、前記内管の第１端に係合する第２面とを有する外フランジと、
前記伝動部材における伝動部材の第１開口と外フランジの第１面との間に位置する第１部分とを有し、
前記ハンドルは、前記案内部材を伝動部材の内部に制限するために該伝動部材の第１開口を封止する封止部材を有する請求項９に記載のモップ。
【請求項１１】
前記封止部材は、径方向へ延出し、前記伝動部材の第１部分より大きい外径を有する大径部を含み、
前記カラーが、前記伝動部材の外周面における前記大径部と外フランジの第１面との間に取り付けられる請求項１０に記載のモップ。
【請求項１２】
前記ハンドルが、前記螺旋シャフト挿入されると共に、前記封止部材に取り付けられる前記螺旋シャフトを安定させるためのリングを有する請求項１０に記載のモップ。
【請求項１３】
さらに前記頭部を前記内管の第２端に取り付けるためのロッドを有し、
前記内管は、該内管の第２端の近傍に形成される２つのヘッド孔を有し、
前記ロッドは、前記内管の第２端に取り付けられ、前記ヘッド孔と対応するロッド孔を有し、
前記頭部は、清掃用部材と、継ぎ手と、ピンと、連結部材とを有し、
前記継ぎ手は、前記ロッド及び内管の第２端に連結され、該内管の第２端を保持する凹部と、該凹部に連通され、前記ロッドのロッド孔、及び内管の２つのヘッド孔とそれぞれ対応すると共に、継ぎ手の外周面を貫通してなる２つの結合孔と、該凹部に対して回転可能な２つのアームを有する保持部材と、夫々前記アームを貫通してなる保持孔とを有し、
前記ピンが、前記結合孔、ヘッド孔及びロッド孔に挿入され、
前記連結部材が、前記清掃用部材を継ぎ手に取り付けるために、回転可能に前記保持部材における２つのアームの間に保持される軸を有する請求項１に記載のモップ。
【請求項１４】
前記連結部材は、前記保持孔と対応するように、前記軸を回転可能に前記保持部材に連結するための軸孔と、径方向へ延出する円盤とを有し、
前記頭部は、
前記保持部材と連結部材との間に取り付けられ、前記軸を挟持する２つの側壁と、前記軸孔、及び前記保持孔とそれぞれ対応するように、該側壁を貫通してなる２つの側壁孔とを有する補強部材と
前記補強部材と連結部材の円盤との間に挟持され、前記軸を挿入する中央孔を有するカバーと、
前記円盤とカバーとの間に取り付けられる、該カバー及び前記連結部材のずれを防止するためのリングパッドとを有する請求項１３に記載のモップ。
【請求項１５】
前記継ぎ手が、その外周面に形成される環状溝を有し、
前記ピンが、前記環状溝にはめ込まれる、前記ピンを前記結合孔、前記ヘッド孔及び前記ロッド孔に対応するCリングを有する請求項１３に記載のモップ。
【考案の詳細な説明】
【技術分野】
【０００１】
本考案は、特に回転可能な頭部を有するモップに関するものである。
【背景技術】
【０００２】
従来のモップは、特に床面を水拭きするためのものであり、ハンドルと、該ハンドルの一端に取り付けられる頭部とを有し、該頭部は、例えば綿やジュートなどの繊維束などからなる清掃用部材である。
【先行技術文献】
【特許文献】
【０００３】
【特許文献１】特開２００５−４４３号公報
【考案の概要】
【考案が解決しようとする課題】
【０００４】
しかしながら、前記頭部における清掃用部材に滲み込んでいる水を手で絞ることは、不衛生で好ましくないが、モップを使用する以上避けられない作業であった。
【０００５】
そこで、案出されたのが本考案であって、手を清掃用部材に直接に接触させることなく、簡単に水を切ることができるモップを提供することを目的としている。
【課題を解決するための手段】
【０００６】
本考案の請求項１は、伸縮可能な管であるハンドルと、頭部とからなり、
前記ハンドルは、第１端と、第２端とを有する外管と、該外管の内部に設置され、第１端と第２端との間に位置する第１端と、第２端とを有する螺旋シャフトと、回転可能かつ長手方向に沿って摺動可能に該外管の内部に設けられると共に、該螺旋シャフトが挿入され、内周面と、第１端と、第２端とを有する内管と、該内管の内周面における第１端と第２端との間に取り付けられると共に、該螺旋シャフトが挿入され、外周面と、第１開口と、前記第１開口に向ける第１表面を有する内フランジと、該内フランジの第１表面に形成される複数の内部歯を有する伝動部材と、該第１端と伝動部材の内フランジとの間に、回転可能かつ摺動可能に前記螺旋シャフトを挿嵌させる貫通孔と、前記内部歯と噛み合うための複数の駆動歯を有する案内部材とを備えるものであり、
前記頭部は、前記内管の第２端に取り付けられる清掃手段である。
【０００７】
本考案の請求項２、３は、外管の第１端にさらに主管が取り付けられてもよく、また、該主管は、第１端と、該外管の第１端に連結される第２端とを有する管状部材であることがこのましい。
【０００８】
本考案の請求項４は、さらに、外管の第１端の近傍に形成される２つの内部位置決め孔と、それぞれが該内部位置決め孔と対応するように、前記主管の第２端の近傍に形成される２つの外部位置決め孔と、両側に夫々２つの突出部が設けられる、該主管を外管の第１端に取り付けるための弾性クリップとを有するモップを提供するものである。
【０００９】
本考案の請求項５に係るモップは、さらにシールと、吊掛部材とを備え、その内、シールは、主管の第１端に取り付けられ、また、該吊掛部材は、該シールに取り付けられると共に、吊るし穴を有するものである。
【００１０】
本考案の請求項６に係るモップは、そのハンドルに、螺旋シャフトの第１端と第２端との間に取り付けられる、該螺旋シャフトを安定させるための錘を有してもかまわなく、また、請求項７に記載されるように、ハンドルはさらに螺旋シャフトにおける錘と螺旋シャフトの第２端との間に取り付けられる、該錘を固定するための固定キャップや、請求項８に記載のように、ハンドルはさらに外管の内周面における外管の第１端と第２端との間に取り付けられる、該螺旋シャフトを固定するための固定部材を有してもよい。
【００１１】
本考案の請求項９に示すように、本願のモップはさらに、外管の第２端の近傍に形成される２つの貫通孔と、該貫通孔を被覆するように、該外管に取り付けられ、それぞれ貫通孔に挿入する２つの凸部を有する内スリーブと、該内スリーブを被包する外スリーブと、前記伝動部材の外周面に取り付けられると共に、摺動可能に該外管の第１端と凸部との間に位置する、該凸部を係止するためのカラーとを有するものである。
【００１２】
本考案の請求項１０に係るモップは、その伝動部材が、外フランジと、第１部分とを有すると共に、該モップのハンドルは封止部材を有し、該伝動部材の外フランジは、伝動部材の外周面に取り付けられ、第１面と、前記内管の第１端に係合する第２面を有し、その内、伝動部材の第１部分は、該伝動部材の第１開口と外フランジの第１面との間の部分に位置され、該ハンドルの封止部材は、案内部材を該伝動部材の内部に制限するために、該伝動部材の第１開口を封止するものである。
【００１３】
本考案の請求項１１に係るモップは、その封止部材においてさらに、径方向へ延出し、伝動部材の第１部分より大きい外径を有する大径部を有すると共に、該モップのカラーは、該伝動部材の外周面における大径部と外フランジの第１面との間に取り付けられるものである。
【００１４】
本考案の請求項１２に係るモップは、そのハンドルにおいて、螺旋シャフトが挿入されると共に、封止部材に取り付けられる、該螺旋シャフトを安定するためのリングを有するものである。
【００１５】
本考案の請求項１３は、さらに、頭部を内管の第２端に取り付けるためのロッドを有し、
その内、内管は、該内管の第２端の近傍に形成される２つのヘッド孔を有し、
前記ロッドは、前記内管の第２端に取り付けられ、前記ヘッド孔と対応するロッド孔を有し、
前記頭部は、清掃用部材と、継ぎ手と、ピンと、連結部材とを有し、
その内、継ぎ手は、前記ロッド及び内管の第２端に連結され、該内管の第２端を保持する凹部と、該凹部に連通され、該ロッドのロッド孔、並びにそれぞれ該内管の２つのヘッド孔と対応すると共に、該継ぎ手の外周面を貫通してなる２つの結合孔と、該凹部に対して回転可能な、２つのアームを有する保持部材と、夫々該アームを貫通してなる保持孔とを有し、
前記ピンは、前記結合孔、ヘッド孔及びロッド孔に挿入され、
前記連結部材は、前記清掃用部材を継ぎ手に取り付けるため、回転可能に前記保持部材における２つのアームの間に保持される軸を有する請求項１に記載のモップを提供するものである。
【００１６】
本考案の請求項１４は、請求項１３に記載のモップにおける連結部材に、更に、保持孔と対応するように、軸に形成され、該軸を回転可能に保持部材に連結するための軸孔と、径方向へ延出する円盤とを有するものであり、
また、前記頭部は、
前記保持部材と連結部材との間に取り付けられ、前記軸を挟持する２つの側壁と、前記軸孔、及び前記保持孔にそれぞれ対応するように、該側壁を貫通してなる２つの側壁孔とを有する補強部材と、
前記補強部材と連結部材の円盤との間に挟持され、前記軸を挿入するための中央孔を有するカバーと、
前記円盤とカバーとの間に取り付けられる、該カバー及び連結部材のずれを防止するためのリングパッドと、を有するを特徴としたモップを提供するものである。
【００１７】
本考案の請求項１５は、請求項１３に記載のモップに、更に、継ぎ手の外周面に形成される環状溝と、該環状溝にはめ込まれる、ピンを結合孔、ヘッド孔及びロッド孔と対応するCリングを有するものである。
【考案の効果】
【００１８】
本考案は上記の課題を解決するものであり、ハンドルを縮退させると、螺旋シャフトに沿って回転移動する案内部材の駆動歯と伝導部材の内部歯とが係合し、伝動部材、内管及び頭部が回転する。そして、ハンドルを伸長させると、伝動部材、内管及び頭部が逆回転せずに、案内部材の駆動歯と伝導部材の内部歯とが互いに離脱するので、頭部を持続的に回転させることにより、簡単に水を切ることができる。
【図面の簡単な説明】
【００１９】
【図１】本考案に係るモップの斜視図である。
【図２】本考案に係るモップの分解斜視図である。
【図３】本考案に係るモップにおけるハンドルの部分分解斜視図である。
【図４】本考案に係るモップにおける案内部材及び伝動部材の部分斜視断面図である。
【図５】本考案に係るモップにおけるハンドルの部分断面図である。
【図６】本考案に係るモップにおけるハンドルの他の部分断面図である。
【図７】本考案に係るモップにおける頭部の分解斜視図である。
【図８】本考案に係るモップの使用状態を示す斜視図である。
【図９】本考案に係るモップにおけるハンドルの部分側面断面図である。
【図１０】本考案に係るモップにおけるハンドルの他の部分側面断面図である。
【考案を実施するための形態】
【００２０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２１】
図１及び図２に示すように、本考案に係るモップは、伸縮可能な管であるハンドル（１０）と、頭部（２０）とを有するものである。
【００２２】
図３に示すように、ハンドル（１０）は、外管（１１）と、螺旋シャフト（１１２）と、内管（１２）と、伝動部材（１２１）と、案内部材（１２２）とを有し、その内、ハンドル（１０）は、さらに主管（１３）またはロッド（１２６）を有してもよい。
【００２３】
前記外管（１１）は、内周面と、第１端（１１０１）と、第２端（１１０２）とを有すると共に、前記螺旋シャフト（１１２）は、該外管（１１）の内部に設置され、該外管（１１）の第１端（１１０１）と第２端（１１０２）との間に位置する第１端（１１２１）と、第２端（１１２２）とを有する。
【００２４】
尚、前記ハンドル（１０）は、前記外管（１１）の内周面における第１端（１１０１）と第２端（１１０２）との間に取り付けられる、前記螺旋シャフト（１１２）を固定させるための固定部材（１１１）を有してもよい。
【００２５】
さらに、前記ハンドル（１０）は、前記螺旋シャフト（１１２）における第１端（１１２１）と第２端（１１２２）との間に取り付けられる、該螺旋シャフト（１１２）を安定させるための錘（１１３）を有してもよく、また、該ハンドル（１０）は、該螺旋シャフト（１１２）における錘（１１３）と螺旋シャフト（１１２）の第２端（１１２２）との間に取り付けられる、該錘（１１３）を固定するための固定キャップ（１１４）を有することがこのましい。
【００２６】
なお、前記外管（１１）は、該外管（１１）の第２端（１１０２）の近傍に形成される２つの貫通孔（１１９）を有すると共に、前記ハンドル（１０）は、内スリーブ（１１５）と、外スリーブ（１１６）とを有することがよりこのましく、また、該内スリーブ（１１５）は、該貫通孔（１１９）を被覆するように、該外管（１１）に取り付けられ、それぞれ該貫通孔（１１９）に挿入される２つの凸部（１１５１）を有し、該外スリーブ（１１６）は、該内スリーブ（１１５）に被装されるものである。
【００２７】
図９及び図１０に示すように、前記ハンドル（１０）はさらにロック（１１７）を有し、前記内スリーブ（１１５）はさらに複数のスリット（１１５２）を有すると共に、前記外スリーブ（１１６）は２つの嵌合孔（１１６１）を有することが好ましい。前記２つの嵌合孔（１１６１）は、夫々さらに滑らかな内周縁を有する。前記複数のスリット（１１５２）は、前記内スリーブ（１１５）の下部に等分に、夫々長手方向に沿って配置される。
【００２８】
前記嵌合孔（１１６１）は、前記外スリーブ（１１６）における互いに対応する箇所に位置すると共に、夫々前記外スリーブ（１１６）を貫通する。前記ロック（１１７）は、前記外スリーブ（１１６）を挟持し、夫々前記２つの嵌合孔（１１６１）に挿入される２つの弧状ブロック（１１７１）を有する。前記２つの弧状ブロック（１１７１）は、夫々前記嵌合孔（１１６１）の内周縁に当接される滑らかな外周縁を有する。使用者が前記ロック（１１７）を回転させると、前記２つの弧状ブロック（１１７１）は、夫々前記嵌合孔（１１６１）の内周縁に圧力を与え、前記外スリーブ（１１６）を下に向かって移動させる。
【００２９】
下に向かって移動する前記外スリーブ（１１６）は、前記内スリーブ（１１５）の下部を収束させるように、前記内スリーブ（１１５）を収容するので、前記内管（１２）を褶動できないように固定させることができる。
【００３０】
前記内管（１２）は、回転可能かつ長手方向に沿って摺動可能に前記外管（１１）の内部に設けられると共に、前記螺旋シャフト（１１２）が挿入され、内周面と、第１端（１２０１）と、第２端（１２０２）とを有するものである。
【００３１】
図３及び図４に示すように、伝動部材（１２１）は、内管（１２）の内周面における第１端（１２０１）と第２端（１２０２）との間に取り付けられると共に、螺旋シャフト（１１２）が挿入され、外周面と、第１開口（１２１１）と、第１開口（１２１１）側に第１表面を有する内フランジ（１２１２）と、内フランジ（１２１２）の第１表面に形成される複数の内部歯（１２１３）とを有するものである。
【００３２】
前記案内部材（１２２）は、第１端（１１２１）と伝動部材（１２１）の内フランジ（１２１２）との間において、回転可能かつ摺動可能に前記螺旋シャフト（１１２）に挿嵌されると共に、該螺旋シャフト（１１２）が挿嵌される貫通孔（１２２１）と、前記内部歯（１２１３）と噛合するための複数の駆動歯（１２２２）とを有するものである。
【００３３】
図５及び図６に示すように、外管（１１）は、該外管（１１）の第２端（１１０２）の近傍に形成される２つの貫通孔（１１９）を有し、ハンドル（１０）は、内スリーブ（１１５）と、外スリーブ（１１６）とを有すると共に、さらにカラー（１２３）を有することがこのましい。また、前記カラー（１２３）は、伝動部材（１２１）の外周面に取り付けられると共に、摺動可能に前記外管（１１）の第１端（１１０１）と凸部（１１５１）との間に位置し、該凸部（１１５１）を係止するためのものである。
【００３４】
また、前記伝動部材（１２１）はさらに、外フランジ（１２１４）と、第１部分とを有すると共に、前記ハンドル（１０）はさらに、封止部材（１２４）を有することが好ましく、更に、該外フランジ（１２１４）は、伝動部材（１２１）の外周面に取り付けられ、第１面と、前記内管（１２）の第１端（１２０１）に係合される第２面とを有し、該伝動部材（１２１）の第１部分は、伝動部材（１２１）の第１開口（１２１１）と外フランジ（１２１４）の第１面との間に位置し、該封止部材（１２４）は、前記案内部材（１２２）を伝動部材（１２１）の内部に制限するために、該伝動部材（１２１）の第１開口（１２１１）を封止するものである。
【００３５】
尚、前記封止部材（１２４）は、径方向へ延出すると共に、前記伝動部材（１２１）の第１部分より大きい外径を有する大径部（１２４１）を有し、前記カラー（１２３）は、前記伝動部材（１２１）の外周面における大径部（１２４１）と外フランジ（１２１４）の第１面との間に取り付けられてもよい。
【００３６】
図１及び図２に示すように、本考案に係るモップは、さらに外管（１１）の第１端（１１０１）に取り付けられる主管（１３）を有してもよく、これにより、使用者は、該主管（１３）及び外管（１１）を握りながら、楽にモップがけすることができる。
【００３７】
尚、前記主管（１３）は、第１端（１３０１）と、前記外管（１１）の第１端（１１０１）に連結される第２端（１３０２）を有する管状部材であることが好ましい。
【００３８】
さらに、前記外管（１１）は、該外管（１１）の第１端（１１０１）の近傍に形成される２つの内部位置決め孔（１１８）を有すると共に、前記主管（１３）はそれぞれ、該内部位置決め孔（１１８）と対応するように、該主管（１３）の第２端（１３０２）の近傍に形成される２つの外部位置決め孔（１３１）と、両側に夫々２つの突出部が設けられる、該ボディー（１３）を外管（１１）の第１端（１１０１）に取り付けるための弾性クリップ（１３３）とを有し、該弾性クリップ（１３３）の一方の突出部が、の一方の内部位置決め孔（１１８）及び一方の外部位置決め孔（１３１）と対応し、他方の突出部が他方の内部位置決め孔（１１８）と他方の外部位置決め孔（１３１）と対応するものである。
【００３９】
前記頭部（２０）は、前記内管（１２）の第２端（１２０２）に取り付けられる清掃用部材である。
【００４０】
図７に示すように、内管（１２）は、該内管（１２）の第２端（１２０２）の近傍に形成される２つのヘッド孔（１２７）を有し、ロッド（１２６）は、該頭部（２０）を内管（１２）の第２端（１２０２）に取り付けるためのものであり、該内管（１２）の第２端（１２０２）に取り付けられ、該ヘッド孔（１２７）と対応するロッド孔（１２６１）を有する。
【００４１】
前記頭部（２０）は、清掃用部材（２１）と、継ぎ手（２６）と、ピン（２７）と、連結部材（２３）とを有する。
その内、継ぎ手（２６）は、前記ロッド（１２６）及び内管（１２）の第２端（１２０２）に連結され、該内管（１２）の第２端（１２０２）を保持する凹部（２６４）と、該凹部（２６４）に連通し、該ロッド（１２６）のロッド孔（１２６１）、及び該内管の２つのヘッド孔（１２７）とそれぞれ対応すると共に、該継ぎ手（２６）の外周面を貫通してなる２つの結合孔（２６３）と、該凹部（２６４）に対して回転可能な、２つのアーム（２６１１）を有する保持部材（２６１）と、夫々前記アーム（２６１１）に貫通してなる保持孔（２６１２）とを有する。尚、前記継ぎ手（２６）の外周面に環状溝（２６５）が形成されてもかまわない。
前記ピン（２７）は、前記結合孔（２６３）、ヘッド孔（１２７）及びロッド孔（１２６１）に挿入される。尚、前記ピン（２７）は、前記環状溝（２６５）にはめ込まれる、該ピン（２７）を結合孔（２６３）、ヘッド孔（１２７）及びロッド孔（１２６１）と対応するCリング（２７１）を有してもよい。
前記連結部材（２３）は、前記清掃用部材（２１）を継ぎ手（２６）に取り付けるための、回転可能に前記保持部材（２６１）における２つのアーム（２６１１）の間に保持される軸（２３１）を有するものである。
【００４２】
また、前記連結部材（２３）は、軸孔（２３２）と、径方向へ延出する円盤（２３３）を有すると共に、前記頭部（２０）は、補強部材（２５）と、カバー（２２）と、輪状パッド（２４）とを有し、
その内、軸孔（２３２）は、前記連結部材（２３）は、前記保持孔（２６１２）に対応するように、前記軸（２３１）に形成される、前記軸（２３１）を回転可能に前記保持部材（２６１）連結させるためのものであり、
前記補強部材（２５）は、前記保持部材（２６１）と連結部材（２３）との間に取り付けられ、前記軸（２３１）を挟持する２つの側壁（２５１）と、前記軸孔（２３２）、及び前記保持孔（２６１２）とそれぞれ対応するように、該側壁（２５１）を穿通してなる２つの側壁孔（２５２）とを有し、
前記カバー（２２）は、前記補強部材（２５）と連結部材（２３）の円盤（２３３）との間に挟持され、前記軸（２３１）を挿入する中央孔（２２１）を有し、
前記リングパッド（２４）は、前記円盤（２３３）とカバー（２２）との間に取り付けられ、該カバー（２２）と連結部材（２３）とのずれを防止するためのものである。
【００４３】
なお、前記清掃用部材（２１）は、基板（２１１）と、複数の繊維材からなるモップきれ（２１２）とを有するものであることが好ましく、その内、基板（２１１）は前記カバー（２２）に取り付けられ、該カバー（２２）は、前記補強部材（２５）と連結部材（２３）の円盤（２３３）との間に挟持されることにより、前記継ぎ手（２６）を介して間接的に且つ回転可能に前記内管（１２）の第２端（１２０２）に取り付けられ、
前記モップきれ（２１２）は、前記基板（２１１）に取り付けられ、特に床面のモップがけに好適なものである。
【００４４】
図５及び図６に示すように、本実施例によれば、ハンドル（１０）を縮退させると、案内部材（１２２）が螺旋シャフト（１１２）に沿って回転移動し、伝動部材（１２１）、内管（１２）及び頭部（２０）が回転する。そして、次の縮退をするために前記ハンドル（１０）を伸長させる時、案内部材（１２２）が螺旋シャフト（１１２）に沿って逆方向へ回転移動するが、逆回転の案内部材（１２２）の駆動歯（１２２２）と正回転の伝動部材（１２１）の内部歯（１２１３）とが互いに離脱するので、伝動部材（１２１）、内管（１２）及び頭部（２０）を持続的が回転し、簡単に水を切ることができる。
【００４５】
次の縮退をする時、螺旋シャフト（１１２）に沿って移動し正回転する前記案内部材（１２２）は、前記駆動歯（１２２２）と内部歯（１２１２）との係合により、伝動部材（１２１）、内管（１２）及び頭部（２０）の正回転運動をさらに加速させることができる。
【００４６】
上述した通り、本考案は、ハンドル（１０）を伸縮させ、前記案内部材（１２２）を螺旋シャフト（１１２）に沿って伸縮運動させることにより、伝動部材（１２１）、内管（１２）及び頭部（２０）を持続的に回転させることができる。これにより、前記清掃用部材（２１）のモップきれ（２１２）を手で絞らなくとも、頭部（２０）に含まれる水を遠心力により簡単に切ることができる。
【００４７】
図８に示すように、本考案においてモップを水切りする時は、遠心力により吹き飛ばされた水を受けるための容器（３０）を使用することがこのましく、特に頭部（２０）を収容できる、該頭部（２０）と共に回転する回転水きり容器（４０）が取り付けられる筒状の容器（３０）を備えることがより好ましい。
【産業上の利用可能性】
【００４８】
本考案は上記の構成を有するので、モップを手で絞らなくても、簡単に水を切ることができる。
【符号の説明】
【００４９】
１０ ハンドル
１１ 外管
１１０１ 外管の第１端
１１０２ 外管の第２端
１１１ 固定部材
１１２ 螺旋シャフト
１１２１ 螺旋シャフトの第１端
１１２２ 螺旋シャフトの第２端
１１３ 錘
１１４ 固定キャップ
１１５ 内スリーブ
１１５１ 凸部
１１６ 外スリーブ
１１８ 内部位置決め孔
１１９ 貫通孔
１２ 内管
１２０１ 内管の第１端
１２０２ 内管の第２端
１２１ 伝動部材
１２１１ 第１開口
１２１２ 内フランジ
１２１３ 内部歯
１２１４ 外フランジ
１２２ 案内部材
１２２１ 貫通孔
１２２２ 駆動歯
１２３ カラー
１２４ 封止部材
１２４１ 大径部
１２５ リング
１２６ ロッド
１２６１ ロッド孔
１２７ ヘッド孔
１３ 主管
１３０１ 第１端
１３０２ 第２端
１３１ 外部位置決め孔
１３３ 弾性クリップ
１３４ シール
１３５ 吊掛部材
１３５１ 吊るし穴
２０ 頭部
２１ 清掃用部材
２１１ 基板
２１２ モップきれ
２２ カバー
２２１ 中央孔
２３ 連結部材
２３１ 軸
２３２ 軸孔
２３３ 円盤
２４ リングパッド
２５ 補強部材
２５１ 側壁
２５２ 側壁孔
２６ 継ぎ手
２６１ 保持部材
２６１１ アーム
２６１２ 保持孔
２６３ 結合孔
２６４ 凹部
２６５ 環状溝
２７ ピン
２７１ Cリング
３０ 容器
４０ 回転バスケット
【図１】
0003161722.tif 000003
【図２】
0003161722.tif 000004
【図３】
0003161722.tif 000005
【図４】
0003161722.tif 000006
【図５】
0003161722.tif 000007
【図６】
0003161722.tif 000008
【図７】
0003161722.tif 000009
【図８】
0003161722.tif 000010
【図９】
0003161722.tif 000011
【図１０】
0003161722.tif 000012